(57)【特許請求の範囲】
【請求項１】
光軸を有し、被写体の光学像を形成する撮像光学系を備えたレンズ鏡筒であって、
前記光軸方向に延びる壁を有する枠体と、
前記枠体に設けられた電子部品と、
前記電子部品に電気的に接続されるフレキシブルケーブルとをさらに備え、
前記壁には、第２開口部が形成されており、
前記枠体は、前記第２開口部の周方向の両側において前記フレキシブルケーブルを支持する支持部を有し、
前記フレキシブルケーブルは、前記第２開口部の少なくとも一部を遮蔽することにより該第２開口部を介した光の通過を遮ると共に、前記第２開口部の一方の支持部を周方向に通過して前記壁の内側から前記壁の外側に引き出されているレンズ鏡筒。
【請求項２】
請求項１に記載のレンズ鏡筒であって、
前記壁には、第１開口部が形成されており、
前記フレキシブルケーブルは、前記第１開口部を通って前記壁の内側から前記壁の外側に引き出されているレンズ鏡筒。
【請求項３】
請求項１又は２に記載のレンズ鏡筒であって、
前記フレキシブルケーブルのうち前記第２開口部を遮蔽している部分には、少なくとも前記電子部品が配置される側の面に反射防止層が設けられているレンズ鏡筒。
【請求項４】
請求項１乃至３の何れか１つに記載のレンズ鏡筒であって、
前記フレキシブルケーブルは、金属箔を含んでおり、該金属箔によって前記第２開口部の少なくとも一部を遮蔽しているレンズ鏡筒。
【請求項５】
請求項２に記載のレンズ鏡筒であって、
前記フレキシブルケーブルは、折り返し部を有しており、該折り返し部によって前記第１開口部の少なくとも一部を遮蔽しているレンズ鏡筒。
【発明の詳細な説明】
【技術分野】
【０００１】
本発明は、レンズ鏡筒に関するものである。
【背景技術】
【０００２】
デジタルスチルカメラなどの撮像装置は、レンズ鏡筒を備えている。レンズ鏡筒は、光学系を含んでおり、光学系を介して、被写体の光学像を撮像素子に結像させる。このようなレンズ鏡筒では、不要光線が撮像素子に入射すると画像の品質が劣化してしまうので、撮像素子への不要光線の入射を抑制する必要がある。
【０００３】
例えば、特許文献１に係るレンズ鏡筒は、１群枠に光軸方向の撮像素子側に延びる円筒壁を設けることによって、撮像素子への不要光線の入射を抑制している。
【先行技術文献】
【特許文献】
【０００４】
【特許文献１】特開２００６−２１５４２１号公報
【発明の概要】
【発明が解決しようとする課題】
【０００５】
このように、レンズ保持枠に円筒壁を設けることによって、レンズ鏡筒内での不要光線の反射を抑制することができる。しかしながら、レンズ保持枠にアクチュエータ等の電子部品が搭載される場合には、該電子部品に電力を供給するためのケーブルを設ける必要がある。その場合、ケーブルの配設を可能とするため、又はケーブル配設の作業性を向上させるために、レンズ保持枠の壁部に開口部を設ける必要がある。レンズ保持枠の壁部に開口部を設けると、不要光線がその開口部を通過する可能性があり、その結果、撮像素子に不要光線が入射する虞がある。特に、ケーブルとして、フレキシブルケーブルを用いる場合には、開口部が大きくなり、不要光線の問題が大きくなる。
【０００６】
ここに開示された技術は、かかる点に鑑みてなされたものであり、その目的とするところは、ケーブルを配設するための開口部を枠体に設ける構成において漏光を低減することにある。
【課題を解決するための手段】
【０００７】
ここに開示された技術は、光軸を有し、被写体の光学像を形成する撮像光学系を備えたレンズ鏡筒であって、前記光軸方向に延びる壁を有する枠体と、前記枠体に設けられた電子部品と、前記電子部品に電気的に接続されるフレキシブルケーブルとをさらに備え、前記壁には、開口部が形成されており、前記フレキシブルケーブルは、前記開口部の少なくとも一部を遮蔽することにより該開口部を介した光の通過を遮っているものとする。
【発明の効果】
【０００８】
前記レンズ鏡筒によれば、ケーブルを配設するための開口部を枠体に設ける構成において漏光を低減することができる。
【図面の簡単な説明】
【０００９】
【図１】実施形態に係るレンズ鏡筒の分解斜視図である。
【図２】レンズ鏡筒の正面図である。
【図３】レンズ鏡筒の、図２のIII−III線における断面図である。
【図４】２群枠の斜視図である。
【図５】２群枠の別の角度からの斜視図である。
【図６】（Ａ）は、フレキシブルケーブルの平面図であり、（Ｂ）は、フレキシブルケーブルの下面図である。
【図７】折り込んだフレキシブルケーブルの、図５と同じ角度からの斜視図である。
【図８】折り込んだフレキシブルケーブルの、別の角度からの斜視図である。
【図９】フレキシブルケーブルが配設された状態の２群枠の、図５と同じ角度からの斜視図である。
【発明を実施するための形態】
【００１０】
以下、例示的な実施形態を図面に基づいて詳細に説明する。図１は、実施形態に係るレンズ鏡筒の分解斜視図を示し、図２は、レンズ鏡筒１００の正面図を示し、図３は、レンズ鏡筒１００の、図２のIII−III線における断面図を示す。
【００１１】
［１．レンズ鏡筒１００の構成］
実施形態１に係るレンズ鏡筒１００は、デジタルスチルカメラに搭載される。レンズ鏡筒１００は、マスターフランジ１９０と、後述する各種の枠体と、これらの枠体に保持されたレンズで構成される撮像光学系と、該撮像光学系を通過して入射する光を電気信号に変換して出力する撮像素子１０１とを備えている。このレンズ鏡筒１００は、一例であり、デジタルスチルカメラに限らず、ビデオカメラやカメラ機能付き携帯電話端末などにも搭載が可能である。撮像光学系は、第１レンズ群３０１と、第２レンズ群３０２と、フォーカスレンズ３０３とを含んでいる。第１レンズ群３０１が、最も被写体側に位置している。第１レンズ群３０１、第２レンズ群３０２、フォーカスレンズ３０３は、１又は複数のレンズで構成されている。撮像光学系は、被写体の光学像を撮像素子１０１の撮像面１０１ａに形成する。
【００１２】
レンズ鏡筒１００は、各種の枠体として、第１レンズ群３０１を保持する１群枠１１０と、第２レンズ群３０２を保持する２群枠１２０と、貫通カム枠１３０と、直進枠１４０と、カム枠１５０と、駆動枠１６０と、固定枠１７０と、フォーカスレンズ３０３を保持する３群枠１８０とを備えている。これら１群枠１１０、２群枠１２０、貫通カム枠１３０、直進枠１４０、カム枠１５０、駆動枠１６０、固定枠１７０及び３群枠１８０は、光軸Ｘに対して同軸上に配置されている。
【００１３】
マスターフランジ１９０には、撮像素子１０１が撮像面１０１ａを被写体側へ向けた状態で固定されている。また、マスターフランジ１９０には、固定枠１７０が固定されている。固定枠１７０の内周面には、所定の軌跡に沿って延びる固定カム溝１７１と光軸方向に延びる直進溝とが形成されている。固定枠１７０には、ズームモータユニット１７３が取り付けられている。
【００１４】
駆動枠１６０の外周面には、駆動カムフォロア１６１とギア部とが設けられている。駆動枠１６０は、固定枠１７０内に収容される。このとき、駆動枠１６０の駆動カムフォロア１６１は、固定枠１７０の固定カム溝１７１に係合し、駆動枠１６０のギア部は、ズームモータユニット１７３に噛合する。駆動枠１６０は、ズームモータユニット１７３により光軸回りに回転駆動され、固定カム溝１７１に沿って固定枠１７０に対して相対的に光軸回りに回転しながら光軸方向に移動する。駆動枠１６０の内周面には、周方向に延びる円周溝と光軸方向に延びる直進溝１６２とが形成されている。以下、単に「回転」という場合には、光軸回りの回転を意味する。
【００１５】
貫通カム枠１３０の外周面には、固定枠１７０の直進溝に係合する第１係合突起１３３と、駆動枠１６０の円周溝に係合する第２係合突起とが設けられている。貫通カム枠１３０は、駆動枠１６０内に収容される。このとき、貫通カム枠１３０の第２係合突起は、駆動枠１６０の円周溝に係合している。これにより、貫通カム枠１３０は、駆動枠１６０に対して相対的に回転自在となる一方、駆動枠１６０に対して相対的に光軸方向に移動できないようになっている。つまり、貫通カム枠１３０は、駆動枠１６０と一体的に光軸方向に移動する。貫通カム枠１３０は、駆動枠１６０内に収容された状態で、固定枠１７０内に収容される。このとき第１係合突起１３３は、固定枠１７０の直進溝に係合する。固定枠１７０の直進溝は光軸方向に延びているため、貫通カム枠１３０は、固定枠１７０に対して相対的に回転不能な状態で光軸方向に相対移動可能に支持されている。貫通カム枠１３０には、所定の軌跡に沿って延びる貫通カム溝１３１が形成されている。また、貫通カム枠１３０の内周面には、光軸方向に延びる直進溝１３２が形成されている。
【００１６】
カム枠１５０の外周面には、カムフォロア１５１，１５１，…が設けられている。カム枠１５０は、貫通カム枠１３０内に収容される。このとき、カム枠１５０のカムフォロア１５１，１５１，…は、貫通カム枠１３０の貫通カム溝１３１を貫通して、駆動枠１６０の直進溝１６２に係合している。これにより、カム枠１５０は、駆動枠１６０と一体的に回転し且つ駆動枠１６０に対し相対的に光軸方向に進退自在に保持されている。また、カムフォロア１５１，１５１，…が貫通カム枠１３０の貫通カム溝１３１にも係合しているので、駆動枠１６０が回転駆動されると、カム枠１５０は、貫通カム溝１３１の形状に従って、貫通カム枠１３０に対して相対的に回転しながら光軸方向に移動する。カム枠１５０の内周には、１群カム溝１５２及び２群カム溝１５３が設けられている。また、カム枠１５０の内周面には、係合突起が設けられている。
【００１７】
直進枠１４０は、カム枠１５０内に収容される。直進枠１４０の外周面には、円周方向に延びる円周溝が形成されている。この円周溝には、カム枠１５０の係合突起が係合する。これら係合突起と円周溝との係合により、直進枠１４０は、カム枠１５０に対して相対的に回転可能である一方、光軸方向には相対的に移動できないようになっている。つまり、カム枠１５０が回転しながら光軸方向に移動するときには、直進枠１４０は、カム枠１５０と共に光軸方向に移動する。また、直進枠１４０は、その後端部において、外方に突出する係合突起１４１を有している。直進枠１４０の後端部は、カム枠１５０からはみ出しており、係合突起１４１は、貫通カム枠１３０の直進溝１３２に係合する。これら係合突起１４１と直進溝１３２との係合により、直進枠１４０は、貫通カム枠１３０に対して相対的に回転しないようになっている。また、直進枠１４０には、直進溝１４２，１４３が形成されている。
【００１８】
１群枠１１０は、１群カムフォロア１１１を有する。１群枠１１０は、直進枠１４０内に収容されている。１群枠１１０は、直進枠１４０の直進溝１４２に係合しており、直進枠１４０に対し光軸方向に進退自在で且つ直進枠１４０に対して相対的に回転しないようになっている。１群カムフォロア１１１は、カム枠１５０の１群カム溝１５２に係合している。カム枠１５０が回転すると、１群枠１１０は、１群カムフォロア１１１と１群カム溝１５２とで構成される第１カム機構によって、カム枠１５０に対して相対的に回転しながら光軸方向に移動する。
【００１９】
２群枠１２０は、２群カムフォロア１２１を有する。２群枠１２０は、直進枠１４０内に収容されている。２群枠１２０は、直進枠１４０の直進溝１４３に係合しており、直進枠１４０に対し光軸方向に進退自在で且つ直進枠１４０に対して相対的に回転しないようになっている。２群カムフォロア１２１は、カム枠１５０の２群カム溝１５３に係合している。カム枠１５０が回転すると、２群枠１２０は、２群カムフォロア１２１と２群カム溝１５３とで構成されるカム機構によって、カム枠１５０に対して相対的に回転しながら、カム枠１５０に対して相対的に光軸方向に移動する。
【００２０】
３群枠１８０は、マスターフランジ１９０に設けられたガイドポールに摺動自在に係合している。３群枠１８０は、マスターフランジ１９０に設けられたアクチュエータによって、他の枠体とは独立して光軸方向に駆動される。
【００２１】
ここで、固定枠１７０の固定カム溝１７１と、貫通カム枠１３０の貫通カム溝１３１と、カム枠１５０の１群カム溝１５２及び２群カム溝１５３とを、回転角度に対し適切な形状に設定することによって、第１レンズ群３０１及び第２レンズ群３０２を駆動枠１６０の回転量に応じて適切な位置に配置させることができると共に、撮影可能状態に無いとき（即ち、沈胴状態）のレンズ鏡筒１００の光軸方向の長さを短くすることができる。
【００２２】
このように構成されたレンズ鏡筒１００においては、ズームモータユニット１７３が駆動枠１６０を回転駆動すると、１群枠１１０及び２群枠１２０が光軸方向に移動する。これにより、撮像光学系の焦点距離が調整される。それに加えて、３群枠１８０を被写体とレンズ鏡筒１００との距離に基づいて適切な位置に移動させることによって、光が撮像素子１０１上に結像し、画像が撮影される。
【００２３】
［２．２群枠１２０の構成］
続いて、２群枠１２０の構成について詳細に説明する。図４は、フレキシブルケーブル４００が配設された状態の２群枠１２０の斜視図を示し、図５は、２群枠１２０の別の角度からの斜視図を示し、図６（Ａ）は、フレキシブルケーブル４００の平面図を示し、図６（Ｂ）は、フレキシブルケーブル４００の下面図を示し、図７は、折り込んだフレキシブルケーブル４００の、図５と同じ角度からの斜視図を示し、図８は、折り込んだフレキシブルケーブル４００の、別の角度からの斜視図を示し、図９は、フレキシブルケーブル４００が配設された状態の２群枠１２０の、図５と同じ角度からの斜視図を示す。
【００２４】
２群枠１２０は、ポリカーボネートなどの樹脂を金型で成型して形成される。２群枠１２０は、中央に開口が設けられた円盤状の円盤部１２２と、円盤部１２２の周辺に設けられた円筒状の周壁部１２３とを有している。周壁部１２３は、その大部分が円盤部１２２から光軸方向の被写体側へ延びており、光軸方向の撮像面側へも少しだけ延びている。周壁部１２３は、不要光線が２群枠１２０の外部に漏れることを防ぐ機能を有する。この２群枠１２０が枠体を構成する。
【００２５】
円盤部１２２には、光量調節部の一つである絞り機構と、光量調節部の一つであるシャッタ機構と、手振れ防止のためのＯＩＳ（Optical Image Stabilizer）機構とが設けられている。それに加えて、円盤部１２２には、絞り機構を駆動する絞りアクチュエータ２１０と、シャッタ機構を駆動するシャッタアクチュエータ２２０と、ＯＩＳ機構を駆動するＯＩＳアクチュエータ２３０とが設けられている。これら絞りアクチュエータ２１０、シャッタアクチュエータ２２０及びＯＩＳアクチュエータ２３０は、円盤部１２２の被写体側の面であって且つ、周壁部１２３の内部に配置されている。絞りアクチュエータ２１０、シャッタアクチュエータ２２０及びＯＩＳアクチュエータ２３０が電子部品を構成する。
【００２６】
絞りアクチュエータ２１０は、モータを有する。絞りアクチュエータ２１０は、減光フィルタを備えたターレット（図示せず）を動作させる。シャッタアクチュエータ２２０は、モータを有する。シャッタアクチュエータ２２０は、メカニカルシャッタ（図示せず）を動作させる。ＯＩＳアクチュエータ２３０は、２対のコイル２３１，２３１及びマグネット（図示せず）を有する。ＯＩＳアクチュエータ２３０は、ＯＩＳレンズ（図示せず）を光軸と直交し且つ、互いに直交する２軸方向に動作させる。
【００２７】
さらに、２群枠１２０には、フレキシブルケーブル４００が設けられている。フレキシブルケーブル４００は、絞りアクチュエータ２１０、シャッタアクチュエータ２２０及びＯＩＳアクチュエータ２３０のそれぞれに電気的に接続されていて、それらに電力を伝達する。
【００２８】
フレキシブルケーブル４００は、導電層である銅箔をポリイミドフィルムで挟んだ３層構造である。詳しくは、フレキシブルケーブル４００は、厚さ５０μｍのポリイミド製のベースフィルム上に、厚さ２５μｍの銅箔が配線パターンとして形成され、銅箔を厚さ５０μｍのポリイミド製のカバーフィルムで覆って構成されている。銅箔は、配線パターンに応じてパターニングされる。フレキシブルケーブル４００において、銅箔が設けられていない部分は、ポリイミドフィルムのみの２層構造となる。
【００２９】
前記周壁部１２３には、フレキシブルケーブル４００を配設するための第１開口部１２４及び第２開口部１２５が互いに近接した状態で形成されている。第１及び第２開口部１２４，１２５は、光軸Ｘを中心とした半径方向に向かって開口している。第１開口部１２４が開口部に相当する。フレキシブルケーブル４００は、第１及び第２開口部１２４，１２５を通って、周壁部１２３の内側から外側に引き出されている。周壁部１２３には、フレキシブルケーブル４００を固定するための第１〜第３支持部１２６〜１２８が設けられている。詳しくは、第２支持部１２７は、周壁部１２３のうち第１開口部１２４と第２開口部１２５との間の部分に設けられている。第１支持部１２６は、周壁部１２３のうち、第１開口部１２４を挟んで第２支持部１２７と反対側の部分から周方向に延び、第１開口部１２４の一部を覆っている。第３支持部１２８は、周壁部１２３のうち、第２開口部１２５を挟んで第２支持部１２７と反対側の部分に設けられている。
【００３０】
フレキシブルケーブル４００は、大部分が直線状に延びる第１直線部４１０と、第１直線部４１０の端部からＵ字状に折り返す第１折り返し部４２０と、第１折り返し部４２０から第１直線部４１０と平行に延びる第２直線部４３０と、第２直線部４３０の端部からＵ字状に折り返す第２折り返し部４４０と、第２折り返し部４４０で折り返した直後に屈曲して第２直線部４３０と垂直な方向に直線状に延びる第３直線部４５０と、第３直線部４５０から分岐する第１〜第４分岐部４６０〜４９０とを有する。第１〜第４分岐部４６０〜４９０は、この順で、第３直線部４５０の基端部（第２折り返し部４４０側の端部）から先端部に向かって並んでいる。第１分岐部４６０は、第３直線部４５０から第１折り返し部４２０側へ分岐しており、先端部が鉤状に屈曲している。第２分岐部４７０は、第３直線部４５０から第２折り返し部４４０側へ分岐している。第２分岐部４７０の先端には、絞りアクチュエータ２１０に給電するための第１給電部４７１が設けられている。第３分岐部４８０は、第３直線部４５０から第２折り返し部４４０側へ分岐している。第３分岐部４８０の先端には、シャッタアクチュエータ２２０に給電するための第２給電部４８１と、ＯＩＳアクチュエータ２３０の一方のコイル２３１に給電するための第３給電部４８２が設けられている。第４分岐部４９０は、第３直線部４５０から第２折り返し部４４０側へ分岐している。第４分岐部４９０の先端には、ＯＩＳアクチュエータ２３０の他方のコイル２３１に給電するための第３給電部４９１が設けられている。
【００３１】
また、フレキシブルケーブル４００の表面には、反射防止膜が設けられている。詳しくは、フレキシブルケーブル４００の一方の面（図６（Ａ）に示す面）においては、第１直線部４１０の一部、第１折り返し部４２０のうち第１直線部４１０側の部分、第２折り返し部４４０のうち第３直線部４５０側の部分、第３直線部４５０、第１分岐部４６０、第２分岐部４７０の基端部及び第３分岐部４８０の基端部に反射防止膜４０１が設けられている。一方、フレキシブルケーブル４００の他方の面（図６（Ｂ）に示す面）においては、第１折り返し部４２０のうち第２直線部４３０側の部分、第２直線部４３０及び第２折り返し部４４０の第２直線部４３０側の部分に反射防止膜４０１が設けられている。反射防止膜４０１は、例えば、つや消し黒色塗膜で構成される。
【００３２】
フレキシブルケーブル４００の第２折り返し部４４０は、折り返しの前後の部分が互いに重なるように二つ折りにされる。また、第１分岐部４６０は、その先端部が第２〜第４分岐部４７０〜４９０と同じ側に位置するように、その基端部で二つ折りにされる。さらに、第３直線部４５０は、第３分岐部４８０が分岐する部分よりも先端側の位置で、当該位置の前後の部分が互いに重なるように二つ折りにされる。
【００３３】
フレキシブルケーブル４００は、このように折り込まれた状態で、２群枠１２０に配設される。詳しくは、第２〜第４分岐部４７０〜４９０が、周壁部１２３の内側に配設される。二つ折りにされた第３直線部４５０及び折り返された第１分岐部４６０は、第２開口部１２５に位置し、第２及び第３支持部１２７，１２８と周壁部１２３とで挟持される。また、二つ折りにされた第２折り返し部４４０は、第１開口部１２４に位置し、第１及び第２支持部１２６，１２７と周壁部１２３とで挟持される。第２直線部４３０は、第１開口部１２４から、２群枠１２０の外側に引き出され、撮像面側へ延びている。第１直線部４１０及び第１折り返し部４２０も２群枠１２０の外側に位置する。
【００３４】
つまり、フレキシブルケーブル４００は、第１開口部１２４を介して２群枠１２０の内側から外側に引き出されている。このとき、第１開口部１２４は、第２直線部４３０及び第２折り返し部４４０によって遮蔽されている。また、第２開口部１２５は、第３直線部４５０及び第１分岐部４６０によって遮蔽されている。
【００３５】
さらに詳しくは、二つ折りにされた第２折り返し部４４０は、第２直線部４３０側の部分が光軸Ｘを中心とした半径方向外側に位置し、第３直線部４５０側の部分が半径方向内側に位置する。このとき、第２直線部４３０に設けられた反射防止膜４０１及び第２折り返し部４４０の第３直線部４５０側に設けられた反射防止膜４０１は、周壁部１２３の内側、即ち、アクチュエータ２１０〜２３０側を向いている。また、二つ折りにされた第３直線部４５０は、基端側の部分が光軸Ｘを中心とした半径方向外側に位置し、先端側の部分が半径方向内側に位置する。このとき、基端側の部分の反射防止膜４０１が、周壁部１２３の内側、即ち、アクチュエータ２１０〜２３０側を向いている。
【００３６】
また、フレキシブルケーブル４００のうち、第１開口部１２４から引き出された部分は、直進枠１４０及び固定枠１７０を介してマスターフランジ１９０に取り付けられる。詳しくは、図３に示すように、第１折り返し部４２０は、直進枠１４０に取り付けられる。続いて、第１直線部４１０の中間に設けられた第１取付部４１１が、固定枠１７０に取り付けられる。そして、第１直線部４１０の、第１折り返し部４２０と反対側の端部に設けられた第２取付部４１２がマスターフランジ１９０に取り付けられる。
【００３７】
［３．実施形態の効果］
したがって、本実施形態に係るレンズ鏡筒１００は、光軸Ｘを有し、被写体の光学像を形成する撮像光学系と、光軸方向に延びる周壁部１２３を有する２群枠１２０と、２群枠１２０に設けられた絞りアクチュエータ２１０、シャッタアクチュエータ２２０及びＯＩＳアクチュエータ２３０と、アクチュエータ２１０〜２３０に電気的に接続されるフレキシブルケーブル４００とを備え、周壁部１２３には、第１及び第２開口部１２４，１２５が形成されており、フレキシブルケーブル４００は、第１及び第２開口部１２４，１２５の少なくとも一部を遮蔽することにより第１及び第２開口部１２４，１２５を介した光の通過を遮っている。これにより、２群枠１２０の周壁部１２３には第１及び第２開口部１２４，１２５が形成された構成であっても、フレキシブルケーブル４００で第１及び第２開口部１２４，１２５の一部を遮蔽することができ、第１及び第２開口部１２４，１２５を介した漏光を低減することができる。
【００３８】
また、フレキシブルケーブル４００は、第１開口部１２４を介して周壁部１２３の内側から外側へ引き出されている。これにより、アクチュエータ２１０〜２３０に電気的に接続されたフレキシブルケーブル４００を２群枠１２０の外方へ容易に引き出すことができるため、フレキシブルケーブル４００を２群枠１２０に敷設する際の作業性を向上させることができる。
【００３９】
また、フレキシブルケーブル４００のうち第１開口部１２４を遮蔽している部分には、少なくともアクチュエータ２１０〜２３０側の面に反射防止膜４０１が設けられている。詳しくは、第２折り返し部４４０には、アクチュエータ２１０〜２３０側の面に反射防止膜４０１が設けられている。こうすることで、２群枠１２０の内側から第１開口部１２４へ向かってきた光を反射防止膜４０１で吸収することができ、フレキシブルケーブル４００での反射光の発生を低減することができる。
【００４０】
さらに、第２開口部１２５を遮蔽する第３直線部４５０の基端側の部分には、アクチュエータ２１０〜２３０側の面に反射防止膜４０１が設けられている。さらにまた、第３直線部４５０の基端側の部分よりも、光軸Ｘを中心とする半径方向内側に位置する先端側の部分にも、基端側の部分と対向する側の面ではあるが、反射防止膜４０１が設けられている。こうすることで、２群枠１２０の内側から第２開口部１２５へ向かってきた光を反射防止膜４０１で吸収することができ、フレキシブルケーブル４００での反射光の発生を低減することができる。
【００４１】
さらにまた、フレキシブルケーブル４００のうち、第１及び第２開口部１２４，１２５を遮蔽する部分には配線パターンが設けられているため、第１及び第２開口部１２４，１２５を介した漏光をこの配線パターンによってさらに低減することができる。
【００４２】
また、フレキシブルケーブル４００のうち第１開口部１２４を遮蔽している部分は、第２折り返し部４４０であるため、フレキシブルケーブル４００を、第１開口部１２４を遮蔽するように光軸方向の被写体側へ延設した後、折り返して、光軸方向の撮像面側へ引き出すことができる。こうすることで、フレキシブルケーブル４００を、光軸方向において周壁部１２３が延びる方向と反対側へ引き出すことができる。例えば、フレキシブルケーブル４００を、第１開口部１２４を遮蔽するように円盤部１２２から周壁部１２３の延びる方向へ延設して、そのまま、光軸方向の被写体側へ引き出すこともできる。つまり、第２折り返し部４４０を設けるか設けないかによって、フレキシブルケーブル４００を周壁部１２３の延びる方向に拘わらず、光軸方向の何れの方向にも引き延ばすことができる。換言すれば、周壁部１２３をフレキシブルケーブル４００とは無関係に設けることができ、周壁部１２３の自由度を向上させることができる。
【００４３】
また、フレキシブルケーブル４００のうち、第１開口部１２４を遮蔽している部分は、折り畳まれて、少なくとも二重になっている。また、フレキシブルケーブル４００のうち、第２開口部１２５を遮蔽している部分は、折り畳まれて、少なくとも二重（場所によっては四重）になっている。こうすることで、第１及び第２開口部１２４，１２５を介した漏光をこの折り畳まれた部分によってさらに低減することができる。
【００４４】
また、フレキシブルケーブル４００は、第１及び第２開口部１２４，１２５において、第１〜第３支持部１２６〜１２８と周壁部１２３とで挟持されているため、フレキシブルケーブル４００は、２群枠１２０の内側に倒れこまない。その結果、フレキシブルケーブル４００が、アクチュエータ２１０〜２３０と干渉することを防止することができる。
【００４５】
《その他の実施形態》
前記実施形態について、以下のような構成としてもよい。
前記実施形態では、フレキシブルケーブル４００が２群枠１２０に設けられているが、これに限られるものではない。フレキシブルケーブル４００が２群枠１２０以外の他の枠体に設けられる場合であっても、同様の構成を採用することができる。
また、レンズ鏡筒１００の構成は、前記の構成に限られるものではない。例えば、前記レンズ鏡筒１００の構成のうち何れかの枠体を省略してもよいし、さらなる枠体を追加してもよい。
【００４６】
また、２群枠１２０に設けられた周壁部１２３は円筒状であるが、壁の形状はこれに限られるものではない。２群枠１２０に設けられる壁は、筒状のように閉断面を有する形状でなくてもよい。
【００４７】
また、フレキシブルケーブル４００に電気的に接続される電子部品は、絞りアクチュエータ２１０、シャッタアクチュエータ２２０及びＯＩＳアクチュエータ２３０に限られず、その他の電子部品であってもよい。
【００４８】
また、フレキシブルケーブル４００は、第１開口部１２４を通って周壁部１２３の内側から周壁部１２３の外側へ引き出されているが、第２開口部１２５を通って周壁部１２３の外側へ引き出されてもよい。さらには、フレキシブルケーブル４００は、第１及び第２開口部１２４，１２５の両方を通って周壁部１２３の外側へ引き出されてもよい。
【００４９】
さらに、周壁部１２３には、第１及び第２開口部１２４，１２５が形成されているが、何れか一方の開口部だけでもよく、さらなる開口部が形成されていてもよい。
【００５０】
フレキシブルケーブル４００は、第１開口部１２４を介して２群枠１２０から撮像面側へ引き出されているが、被写体側へ引き出される構成であってもよい。
【００５１】
フレキシブルケーブル４００の形状は、前記の構成に限られるものではない。アクチュエータ２１０〜２３０に電気的に接続されて、周壁部１２３に形成された開口部の少なくとも一部を遮蔽しつつ該開口部を介して２群枠１２０の外側へ引き出される構成であれば、任意の形状採用することができる。
【００５２】
フレキシブルケーブル４００は、周壁部１２３の開口部の少なくとも一部を遮蔽していればよく、開口部を遮蔽する部分に、反射防止膜４０１が無くてもよく、配線パターンが配設されていなくてもよい。また、フレキシブルケーブル４００のうち、開口部を遮蔽する部分は、折り返されて二重になっていなくてもよい。
【００５３】
また、フレキシブルケーブル４００の配線として、銅箔が用いられているが、銅箔以外の金属箔であってもよい。
【００５４】
尚、以上の実施形態は、本質的に好ましい例示であって、本発明、その適用物、あるいはその用途の範囲を制限することを意図するものではない。
【産業上の利用可能性】
【００５５】
以上説明したように、本発明は、レンズ鏡筒について有用である。
【符号の説明】
【００５６】
Ｘ        光軸
１００    レンズ鏡筒
１２０    ２群枠（枠体）
１２３    周壁部（壁）
１２４    第１開口部（開口部）
２１０    絞りアクチュエータ（電子部品）
２２０    シャッタアクチュエータ（電子部品）
２３０    ＯＩＳアクチュエータ（電子部品）
４００    フレキシブルケーブル
４０１    反射防止膜
４４０    第２折り返し部（折り返し部）
【図２】
0005296836.tif 000002
【図３】
0005296836.tif 000003
【図４】
0005296836.tif 000004
【図１】
0005296836.tif 000005
【図５】
0005296836.tif 000006
【図６】
0005296836.tif 000007
【図７】
0005296836.tif 000008
【図８】
0005296836.tif 000009
【図９】
0005296836.tif 000010